(57)【特許請求の範囲】
【請求項１】
建物躯体の開口部に取り付ける開口枠の上枠に通気路を形成した開口枠であって、
前記通気路の一方の通気口は、前記開口枠に収容される建具で仕切った一方側に開口し、かつ他方の通気口は他方側に開口し、前記通気路内に結露促進部材を備え、
前記上枠は、建物躯体側枠部材と開口側枠部材からなり、前記建物躯体側枠部材と開口側枠部材間に前記通気路が形成されており、
前記開口側枠部材は、前記通気路内において、上面に前記一方の通気口側に延長した水返しとなる邪魔板が一体に形成された中空枠体を備え、
前記通気路は、前記一方の通気口を備えた第１の縦通気路と、前記縦通気路に連通し、前記建物躯体側枠部材と前記中空枠体の上面と邪魔板との間に形成された横通気路と、前記横通気路に連通し、前記他方の通気口を備え前記建物躯体側枠部材の垂下壁と前記中空枠体の前記他方の通気口側の側壁面間に形成された第２の縦通気路、から成っていることを特徴とする開口枠。
【請求項２】
請求項１に記載された開口枠において、
前記結露促進部材は、前記建物躯体側枠部材の横通気路を形成する壁及び垂下壁に設けられていることを特徴とする開口枠。
【請求項３】
請求項１又は２に記載された開口枠において、
前記一方又は他方の通気口に通気口を開閉する蓋体を設けたことを特徴とする開口枠。
【請求項４】
請求項１ないし３のいずれかに記載された開口枠において、
前記他方の通気口に、空気は流通させるが水滴は流通させない部材を取り付けたことを特徴とする開口枠。
【請求項５】
請求項２又は３に記載された開口枠において、
前記第１又は第２の縦通気路を形成する通気路形成部材を、建物躯体側枠部材に着脱自在に装着したことを特徴とする開口枠。
【請求項６】
請求項５に記載された開口枠において、
さらに、横通気路を形成する通気路形成部材を、建物躯体側枠部材に着脱自在に装着したことを特徴とする開口枠。
【請求項７】
請求項１ないし６のいずれかに記載された開口枠において、
開口枠を構成する縦枠が、当該開口枠に収容される建具で仕切った一方側に開口しかつ前記上枠に設けた前記通気路に連通した結露促進部材を備えた通気路を有することを特徴とする開口枠。
【請求項８】
請求項１ないし７のいずれかに記載された開口枠において、
前記結露促進部材は、通気路壁部から通気路内に突出した複数のヒレ部材であることを特徴とする開口枠。
【請求項９】
請求項８に記載された開口枠において、
前記ヒレ部材は、その両側に多数の凹凸を有することを特徴とする開口枠。
【発明の詳細な説明】
【技術分野】
【０００１】
本発明は、通気路付き開口枠に関し、とくに通気路内を通過する水蒸気を含んだ空気の結露を促し、湿気が室外に流出しないようにした換気用通気路を備えた開口枠に関する。
【背景技術】
【０００２】
従来、例えば浴室等の扉などの建具にはいわゆるガラリが取り付けられ、扉などを閉じた状態でも浴室内の空気を換気することができるようになっている。
しかしながら、浴室内は比較的高温・高湿な雰囲気に晒されているため、かびが発生し易くまた、垢などの汚れも付着しやすいことから、例えばシャワーなどで頻繁に清掃が行われる。
そのため、扉についても清掃し易い形状や構造のものが好まれ、デザイン的にもスッキリしたものが求められる結果、ガラリを設けない扉（例えば二枚折戸）が好まれている。
【０００３】
ところが、扉にガラリを設けないと、扉を閉めた状態では浴室は通気ができず密閉された状態になるため、扉を押し開く際に重くなったり、或いは逆に扉を閉めた状態で換気扇を回すと室内の負圧により扉が開いたりするという問題が生じる。
他方、サッシ上枠に通気路を設けて障子を閉めた状態でも換気ができるようにしたもの、例えば、内部が中空状の上枠の下面に障子外側部分において形成された外側換気孔と、障子内側部分において形成された内側換気孔とを、上枠内の中空部を経て連通させたサッシ(開口枠)上枠の換気装置が知られている（特許文献１参照）。
そこで、ガラリを例えば開口枠の上枠に設けることが考えられる。
【０００４】
図１３は、このようにして得られた浴室用開口枠の上枠に通気路を設けた当該上枠の縦断面図であり、参考例として示すものである（なお、浴室扉全体構造は後述する）。
上枠１００は、躯体Ｋ側に取り付けるための躯体側枠部１１０と、躯体側枠部１１０の下側にあって開口に臨む、例えば折戸を取り付けるための開口側枠部１２０とからなり、躯体側枠部１１０と開口側枠部１２０間に通気路１３０を設けたものである。
躯体側枠部１１０は、躯体Ｋ表面に配置される中空枠体を構成する立上り壁部１１２を有し、この立上り壁部１１２の下部には一体に形成された中空枠体１１４が設けられている。この中空枠体１１４の上面１１４ａから隣室（ここでは脱衣室）側に向かってやや上向きに延びる傾斜壁１１６、及び傾斜壁１１６の隣室側端部に一段下がって略水平に一体に設けられ、ボルト１４０によって躯体Ｋ側の額縁部材１４２に止着される取付壁１１８とからなっている。また、前記中空枠体１１４の通気路１３０側の側面には水返しとなる第１の邪魔板１１４ｂが通気路１３０中に突出して設けられている。
【０００５】
開口側枠部１２０は、躯体側枠部１１０との間にクランク状に折れ曲がった通気路１３０を形成するための略矩形の第１の中空枠体１２２と、その下側の前記中空枠体１２２よりも小さな略矩形の第２の中空枠体１２４からなっている。第１の中空枠体１２２の浴室側上端部には該中空枠体１２２の上面１２２ｄをそのまま浴室側に延長した水返しとなる第２の邪魔板１２２ｃが一体に形成されており、かつ、第１の中空枠体１２２の浴室側下端部を延長してその先端下部には折戸用の案内レール１２６が形成されている。
また、第２の中空枠体１２４は、その浴室側縦壁部１２４ａが第１の中空枠体１２２の浴室側縦壁部１２２ａよりも脱衣室側に位置をずらして設けられており、脱衣室側の壁部１２４ｂは、第１の中空枠体１２２の脱衣室側の壁部１２２ｂと面一になるよう連続形成されている。
【０００６】
通気路１３０は、躯体側枠部１１０の前記中空枠体１１４と、前記第１の中空枠体１２２の浴室側縦壁部１２２ａとの間に形成された縦通気路１３０ａと、躯体側枠部１１０の傾斜壁１１６と前記第１の中空枠体１２２の上面１２２ｄ及び邪魔板１２２ｃとの間に形成された緩傾斜通気路１３０ｂと、前記縦通気路１３０ａの下端部及び緩傾斜通気路１３０ｂの脱衣室側端部にそれぞれ形成された第１及び第２の通気口１３２ａ、１３２ｂとから成っている。
【０００７】
以上のように構成された通気路付き上枠１００を用いた場合、浴室の比較的高温・多湿な空気は矢印Ｆ１で示すように、浴室側の第１の通気口１３２ａから流入し、縦通気路１３０ａ、緩傾斜通気路１３０ｂ、脱衣室側通気口１３２ｂを通って脱衣室側に流れ、脱衣室側の比較的低温で乾燥した空気と接触して露点温度まで冷却されて結露する。そのため、脱衣室側通気口１３２ｂ近傍（図中楕円で囲った領域）には水滴が付着し、かびや汚れが付き易くなると共に、落下した水滴で脱衣室側の入口近傍の床面が濡れるという問題がある。
【発明の開示】
【発明が解決しようとする課題】
【０００８】
本発明は、以上で述べた換気に伴う結露水の問題を解決すべくなされたものであって、その目的は、扉を閉めた状態で換気を行う場合に、隣室側の通気路出口付近で結露が発生しないようにすることである。
【課題を解決するための手段】
【０００９】
請求項１の発明は、建物躯体の開口部に取り付ける開口枠の上枠に通気路を形成した開口枠であって、前記通気路の一方の通気口は、前記開口枠に収容される建具で仕切った一方側に開口し、かつ他方の通気口は他方側に開口し、前記通気路内に結露促進部材を備え、前記上枠は、建物躯体側枠部材と開口側枠部材からなり、前記建物躯体側枠部材と開口側枠部材間に前記通気路が形成されており、前記開口側枠部材は、前記通気路内において、上面に前記一方の通気口側に延長した水返しとなる邪魔板が一体に形成された中空枠体を備え、前記通気路は、前記一方の通気口を備えた第１の縦通気路と、前記縦通気路に連通し、前記建物躯体側枠部材と前記中空枠体の上面と邪魔板との間に形成された横通気路と、前記横通気路に連通し、前記他方の通気口を備え前記建物躯体側枠部材の垂下壁と前記中空枠体の前記他方の通気口側の側壁面間に形成された第２の縦通気路、から成っていることを特徴とする。
【発明の効果】
【００１０】
本発明は、以上の構成になるから、比較的高温、高湿の部屋と隣接した部屋間を通気路でつなぎ換気を行う場合に、隣室側の前記流通気路の出口付近で結露が生じず、従って、隣室側を結露水で濡らすことがない。
【発明を実施するための最良の形態】
【００１１】
まず、本発明に係る開口枠を用いた浴室扉を例に採って改めてその全体構造を説明する。
図１は、本発明に係る開口枠を用いた浴室用折戸の正面図、図２は同縦側断面図、図３は同平断面図である。
図１に示すように、浴室用折戸１は、枠体に左右の扉体３ａ、３ｂから成る扉体３を組み込んで構成され、左側扉体３ａと右側扉体３ｂとは、突き合わせた状態で、連結部材４を介して中折れ自在に連結されている。浴室用折戸１は、左右の両扉体３ａ，３ｂが脱衣室側に展開されることにより閉塞する。  
折戸を収容する開口枠２は、アルミニウムの形材等で構成された両縦枠５，５、下枠６及び上枠１０を枠組みして成り、例えば浴室の開口部に取り付けられる。
【００１２】
上枠１０は、図２に示すように、浴室側が立ち上がった全体として略矩形の中空状に形成され、内部には浴室側から脱衣室側に連通する通気路３０が設けられている。通気路３０中には後述する通気路３０中を流動する空気中の水分の結露を促進する部材（例えば、ヒレ部材）１７が設けられている。
【００１３】
左右の各縦枠５は、図３に示すように、浴室Ａ側が額縁状に形成され、脱衣室Ｂ側には、内側に向かって縦枠シール取付部５１が配置されている。また、縦枠シール取付部５１には、扉体３（３ａ，３ｂ）に向かって延びる縦枠シール部材５２が取り付けられている。
なお、下枠６及び左右の各扉体３ａ，３ｂは、周知のものを用いるので説明を省略する。
【００１４】
図４は、前記開口枠の第１の実施形態に係る上枠１０の拡大断面図である。
上枠１０は、躯体側に取り付けるための躯体側枠部１１と、躯体側枠部１１の下側に配置されて開口に臨む、例えば折戸を取り付けるための開口側枠部２０とからなり、躯体側枠部１１と開口側枠部２０間には通気路３０が設けられている。
躯体側枠部１１は、躯体Ｋ表面に配置される中空枠体を構成する立上り壁部１２、この立上り壁部１２と一体に形成された中空枠体１４と、中空枠体１４の上部１４ｂから隣室（ここでは脱衣室）側に向かってやや上向きに延びる傾斜壁１６、傾斜壁１６の隣室側端部に一段下がって略水平に一体に設けられ、ボルト４０によって躯体側の額縁部材４２に止着される取付壁１８、この傾斜壁１６の隣室側端部に連続してそこから下方に略直角に折曲した垂下壁１５とからなっている。
【００１５】
開口側枠部２０は、上側つまり通気路側の第１の略矩形の中空枠体２２と、その下側に、中空枠体２２の脱衣室側端壁を延長させた延長壁２３を介して間隔を隔てかつ中空枠体２２の反対側に配置された、略矩形の第２の中空枠体２４からなっている。
【００１６】
第１の中空枠体２２の浴室側上端部には、該中空枠体２２の上面２２ａをそのまま浴室側に延長した水返しとなる第２の邪魔板２２ｂが一体に形成されており、かつ、第１の中空枠体２２の浴室側下端部を延長してその先端下部には折戸用の案内レール２６が形成されている。
【００１７】
開口側枠部２０の第２の中空枠体２４の上面２４ａは、脱衣室側から浴室側に向かって下向きに傾斜した傾斜面として形成されており、傾斜面の脱衣室側端部近傍と躯体側枠部１１の垂下壁１５との間に脱衣室側通気口３２ｂが形成されている。また、前記第２の中空枠体２４の上面２４ａ即ち傾斜面は、脱衣室側に僅かに張り出して形成され、縦通気路３０ｃから落下してくる水滴を受けて浴室側に流下させると共に、その脱衣室側端面は上方に折れ曲られ、水滴が脱衣室側に落下しないよう堰き止める堰き止め部２４ｂとなっている。
なお、前記中空枠体２４の延長壁２３の前記第２の中空枠体２４の上面２４ａとの接続部近傍に、前記上面２４ａが受ける水滴が大量の場合、図示矢印のように排出するための例えば逆止弁つき開口等の排水手段を設けることもできる。
【００１８】
以上の構成により、通気口３２ａを備えた第１の縦通気路３０ａは、躯体側枠部１１の中空枠体１４と開口側枠部２０の中空枠体２２との間に、傾斜通気路３０ｂは、傾斜壁１６と中空枠体２２の上面２２ａと第２の邪魔板２２ｂとの間に、脱衣室側に開口した通気口３２ｂを備えた第２の縦通気路３０ｃは、垂下壁１５と中空枠体２２の脱衣室側壁面間にそれぞれ形成され、浴室からの比較的高温、高湿度の空気は矢印Ｆで示すように、通気口３２ａ、第１の縦通気路３０ａ、横通気路（本実施形態では緩傾斜通気路）３０ｂ、第２の縦通気路３０ｃ、通気口３２ｂの順に流れる。
この通気路３０には、結露促進部材である熱良導性部材が設けられている。即ち、本実施形態では、上枠１０の前記傾斜壁１６及び垂下壁１５には多数の例えばアルミニウム材料でできたヒレ部材１７が通気路３０中に突出するように設けられている。
【００１９】
図５は、ヒレ部材１７の拡大図である。
ヒレ部材１７は、図示のようにその側面に多数の凹凸条１７ａ、１７ｂが形成された板体に形成されている。これはヒレ部材１７の表面積を大きくして、空気との接触面積を増大させることで結露を一層促進できるようにするためである。なお、ヒレ部材１７は、必ずしも前記傾斜壁１６及び垂下壁１５全体に設ける必要はなく、目的に叶った必要な結露が得られればその一方の壁面に設けるようにすることもできる。
また、ヒレ部材１７は、躯体側枠部１１側でなく開口側枠部２０側に設けることも可能であるが、後述するように取り外して洗浄したりするなどの利便性を考慮して、躯体側枠部１１側に設けることが好ましい。
なお、本実施形態では躯体側枠部１１の前記傾斜壁１６のヒレ部材には凹凸条が形成されているが、垂下壁１５には凹凸条は形成されていない。これは、垂下壁１５に至るまでに前記傾斜壁１６のヒレ部材１７部分でかなりの除湿が行われているからで、この段階では敢えて凹凸条までは設ける必要はないからである。
【００２０】
本実施形態では、以上のように通気路３０をクランク状に２回折り返して空気の流動距離を長くするとともに、通気路３０内に多数のヒレ部材１７を設けているため、浴室からの比較的高温、高湿の空気は通気路３０中で結露して除湿される。従って、浴室からの空気が脱衣室側通気口３２ｂから排気されたときにはもはや結露を生じることはない。
また、通気路中で結露した水はその後の換気等による乾燥空気の流通によって自然乾燥され、仮に、結露した水滴が第２の中空枠体２４の上面２４ａつまり傾斜面上に落下しても、その位置で自然乾燥されるか又は既に述べたように、その量が多い場合は別途設ける排出口から排出すればよい。
【００２１】
ところで、通気路３０は常に湿気に晒されているためゴミが付き易いが、上枠１０内にあるため掃除がし難く、また、浴室側の通気口から圧力を掛けて洗浄水を噴射しても、前記邪魔板やクランクのため通気路３０の奧には届かない。
【００２２】
そこで、本発明の他の実施形態は、通気路を構成する枠体の一部を開口側枠部２０に対し着脱自在に構成して、これを外して洗浄できるようにしている。
図６は、本発明の第２の実施形態を示す上枠１０の要部の断面図である。
本実施形態では、第１の実施形態における躯体側枠部１１の中空枠体１４部分と、ヒレ部材１７付きの垂下壁１５とを着脱自在にした例である。
即ち、前記中空枠体１４の側面には上下の適当な位置に突起（例えばピン）１４ｅ、１４ｆを設けると共に、開口側枠部にこの突起１４ｅ、１４ｆを受け入れかつ案内する上下の係止溝１４ｃ、１４ｄを形成するか又は上下の係止溝１４ｃ、１４ｄを備えた係止板を取り付ける。前記中空枠体１４の取り付けは、突起１４ｅ、１４ｆを係止溝１４ｃ、１４ｄに挿入して案内し、前記係止溝１４ｃ、１４ｄに係止することで行い、外すときは、中空枠体１４を例えば持ち上げて下方の突起１４ｆを下方の係止溝１４ｄから外して後、中空枠体１４の下部を外側に回し、下方にずらしながら上方の突起１４ｅを上方の係止溝１４ｃから外す。
また、前記垂下壁１５も同様にその両側部に取り付けた上下の係止突起（ピン）１５ａ、１５ｂを、開口縦枠側の上下の係止溝１５ｃ、１５ｄに係止して取り付け、外すときは、前記中空枠体１４と同様に前記係止突起１５ａ、１５ｂを上下の係止溝１５ｃ、１５ｄから外す。
【００２３】
このように、躯体側枠部１１の中空枠体１４及び垂下壁１５を外すことにより、躯体側枠部１１内に傾斜通気路３０ｂの浴室側及び脱衣室側の両端面が露出し、例えば脱衣室側からシャワー等により洗浄水を噴射することで緩傾斜通気路３０ｂ内のごみや汚れを洗い流すことができる。とくに、本実施形態では中空枠体１４及び垂下壁１５を素手で着脱できるため着脱操作が簡易であり、かつ、外した中空枠体や垂下壁１５は別途洗浄水で十分に洗浄処理できる。
【００２４】
図７は、本発明の第３の実施形態の上枠要部の断面図であり、図７Ａは通気路を組み立てた状態の上枠の縦断面図、図７Ｂは通気路を分解した状態を示す上枠の縦断面図である。
この実施形態では、第１の実施形態における躯体側枠部１１のうち、前記中空枠体１４と傾斜壁１６とを一体にしてこれを他の躯体側枠部１１とは別体に構成し、立上り壁部１２にネジ止めして固定するようにしている。また、ヒレ部材１７付きの垂下壁１５は、その上部に躯体側の額縁部材４２に止着される取付壁１８と重ね合わせてこれらをボルト４０により一体にネジ止め固定する。そのため、前記垂下壁１５には前記取付壁１８と略同形状かつ同寸法に形成された取付壁１５ｅが一体に形成されている。
【００２５】
本実施形態の場合は、上枠１０の通気路３０の着脱作業は第２実施形態の場合のように素手で直接行うことはできないが、ドライバーでネジを外すだけの簡易な操作で通気路３０を構成する躯体側枠部分全体を外すことができるから、洗浄や殺菌が十分可能であり、かびなど落とし難い汚れの清掃などをより完全に行い得る。
【００２６】
図８は、第４の実施形態の上枠要部の断面図である。
この実施形態では、第３の実施形態において、結露を促進する部材として前記ヒレ部材の代わりに例えば銅合金をダイキャスティング射出成型して製造したヒートシンク部材を取り付けている。
ヒートシンク部を取り付けることで比較的高温の空気がヒートシンクで熱交換されて冷却される結果、結露が促進される。
その他の作用効果は、第３の実施形態と同様である。
【００２７】
以上、通気路３０内で結露を促進されて蒸気や湿気が浴室から脱衣室側に流れ込むのを防止するための通気路構成について説明したが、空気の流通を制限して浴室側の湿気が脱衣室側に侵入するのを抑制する他の実施形態について説明する。
【００２８】
図９は、その第５の実施の形態を説明する通気路付き上枠の要部の横断面図であり、図９Ａは通気路の蓋が閉じた状態を、また図９Ｂは前記蓋が開放した状態を示す要部横断面図である。
図９Ａに示すように、通気口３２ａを開閉する第１の蓋体６０ａは、開口側枠部２０の中空枠体２２側を中心に水平位置と下降位置間で開閉するように設けられている。即ち、第１の蓋体６０ａの一端にはヒンジとなる膨大部６２ａが形成され、この膨大部６２ａは、前記中空枠体２２の浴室側下端部から前記通気口３２ａ側に張り出して形成された水平壁部２８の先端の凹部２８ａに嵌合され、この膨大部６２ａを中心に旋回するよう構成されている。
つまり、第１の蓋体６０ａは、自由状態では自重で前記凹部２８ａを中心に下方に旋回して垂れ下がって、前記通気口３２ａを開放するように構成されている。
この第１の蓋体６０ａの下側には、その長手方向所定の位置で縦枠５に枢軸６２ｂに回動自在に枢着されたレバー６２が設けられており、図９Ａに示すようにその垂直位置では、その上端で第１の蓋体６０ａの下面を支え、第１の蓋体６０ａの上面が上枠１０の中空枠体１４の下端面に接して、前記通気口３２ａを閉鎖し、レバー６２下端を浴室側に回動させることによりレバー６２の上端が下降するに従い、第１の蓋体６０ａは自重で下方に旋回して通気口３２ａを開放する。
【００２９】
他方、通気路３０の脱衣室側の通気路３２ｂを開閉する第２の蓋体６０ｂは、縦枠５の両側に取り付けた蓋固定具６５に上下摺動自在に取り付けられ、通気路３２ｂを上動位置で開放し下降位置で閉鎖するように構成されている。
そのため、第２の蓋体６０ｂの長手方向上下両側部に突起６１ａ、６１ｂが設けられ、蓋固定具６５には、前記突起６１ａ、６１ｂを案内する二条の案内溝６５ａ、６５ｂが上下に形成されている。また、これらの案内溝６５ａ、６５ｂのそれぞれの上端部には、前記突起６１ａ，６１ｂが上動したときにこれにこれを掛止して、第２の蓋体６０ｂが落下しないように掛止するための突起６６ａ、６６ｂが設けられている。
第２の蓋体６０ｂで通気路３２ｂの出口に取り付けるには、第２の蓋体６０ｂに形成されたつまみ６４を掴み、第２の蓋体６０ｂの前記突起６１ａを蓋固定具６５の垂直な案内溝６５ａの下端から斜め下方に延びた案内溝６５ｃに挿入して斜め上方に前記案内溝６５ａまで案内し、そのまま案内溝６５ａに沿って上動させながら、前記突起６１ｂを水平に延びた案内溝６５ｄに沿って挿入して案内溝６５ｂに挿入し続いてその下端まで落とし込めばよい。このように第２の蓋体６０ｂを通気路３２ｂ取り付けると、通気路３２ｂは閉鎖される。
【００３０】
閉鎖された通気路３２ｂを開放するには、第２の蓋体６０ｂのつまみ６４を掴んで案内溝６５ａ、６５ｂに沿って上動させ、その上端位置において、各案内溝６５ａ、６５ｂの突起６６ａ、６６ｂに掛止させる。これにより第２の蓋体６０ｂは案内溝６５ａ、６５ｂの上端位置にとどまり、したがって、通気路３２ｂは開放状態に維持される。
【００３１】
通気路３２ｂを閉鎖するときは、第２の蓋体６０ｂのつまみ６４を掴んで前記突起６１ａ、６１ｂを突起６６ａ、６６ｂから外し、前記案内溝６５ａ、６５ｂに沿って下降させればよい。
以上のように、第２の蓋体６０ｂは蓋固定具６５に沿って上下に摺動させることで通気路３０の脱衣室側の通気路３２ｂの出口を開閉することができるが、前記出口の開閉は、第２の蓋体６０ｂを蓋固定具６５に取り付ける手順と逆の手順で外したり再度取り付けることによってもよい。
【００３２】
次に、第６の実施の形態に係る蓋開閉機構について図１０を参照して説明する。
図１０は、第６の実施の形態を説明する通気路付き上枠の要部の横断面図であり、図１０Ａは脱衣室側通気路３２ｂの出口の蓋が閉じた状態を、また図１０Ｂは前記蓋が開放した状態を示す要部横断面図である。
本実施形態に係る蓋体６０ｃは、図１０Ａに示すように、第３の蓋体６０ｃの一端にはヒンジとなる膨大部６２ｃが形成され、この膨大部６２ｃは、上枠１０の脱衣室側垂下壁１５下端部に形成された凹部１５ｆに嵌合され、この膨大部６２ａを中心に旋回するよう構成されている。
【００３３】
第３の蓋体６０ｃの下端にはロープ又はワイヤ７０が取り付けられており、そのロープ又はワイヤ７０は、縦枠５に取り付けた滑車７２を経て垂下され、その下端には操作用レバー７４が取り付けられている。また、縦枠５には、操作用レバー７４を保持する保持ブロック７６が取り付けられている。
したがって、ロープ又はワイヤ７０を引っ張り、第３の蓋体６０ｃの下端を引き上げて図１０Ｂに示すように開放し、その状態で例えば前記操作用レバー７４に設けた溝７４ａに保持ブロック７６の凸部７６ａを引っ掛けて保持させておくことで、脱衣室側の通気口３２ｂの出口を開放状態に維持することができる。
また、操作用レバー７４を保持ブロック７６から外せば、第３の蓋体６０ｃは自重で下方に回動して、図１０Ａに示すように前記通気口３２ｂを閉鎖する。
この実施の形態では、浴室側通気路３２ａの入口側には蓋が設けられていないが、既に説明した第５の実施形態に係る蓋体６０ａを設けてもよい。このように通気路３０の出入口にそれぞれ蓋体を設けることで、通気路３０の閉鎖がより完全に行われる。
以上説明したように、通気路３０の出入口または出口に開閉可能に蓋体を設けることで、通気が不要なときは通気路３０を閉鎖しておくことができるから通気路３０の汚れを少なくすることができる。
【００３４】
第７の実施の形態について説明する。
図１１は、本実施の形態に係るフィルターを備えた通気路付き上枠の要部の横断面図である。
図示のように、上枠１０の脱衣室側垂下壁１５下端部に形成された凹部１５ｇには、フィルター８０が挿入されている。ここで、フィルター８０は網目を用いるものとし、網目の大きさを水滴よりも細かいものとすることで、通気路３０を常時空気は通すが水、水滴は通しにくい構成とすることができる。
本実施形態では、フィルター８０は、脱衣室側通気路３２ｂの出口のみに設けているが、浴室側通気路３２ａの入口に設けることができ、このようにすることで、浴室側から脱衣室側への湿気の侵入はより一層確実に抑制できるとともに、通気路の両側にフィルター８０を設けることで通気路内に汚れが付着することも大幅に抑制される。
また、フィルター８０に代えて、モヘヤを取り付けても、蒸気や湿気が脱衣室側に直接流入することが抑制され同様の効果を得ることができる。
【００３５】
図１２は開口縦枠の要部平断面図であり、図１２Ａは通気路の組立状態を、また図１２Ｂは通気路の分解状態を示す。
図示のように、浴室側の縦枠５を中空枠体を利用してこれを前記上枠に設けた通気路に連通させた第２の通気路５０として、この通気路５０の内に結露促進部材として縦枠開口面側に多数のヒレ部材を設けた突条５１ａを形成しておく。
即ち、図１２Ａに示すように、縦枠５も上枠と同様に躯体側枠部５ａと開口に臨む開口側枠部５ｂとから構成し、躯体側枠部５ａに設けた前記突条５１ａと開口側枠部５ｂに取り付けた突条５１ｂをそれぞれ前記通気路内で対向配置する。
これによって、縦枠５を通して浴室内の空気が前記上枠の通気路３００に流れる間に結露して除湿し、さらに上枠内の通気路３０を通ることで浴室内の換気が十分に行える。
また、縦枠５の一部、即ち、縦枠シール部材５２を備えた開口側枠部５ｂを図１２Ｂに示すように着脱自在に構成することにより、これを取り外して内部を洗浄することができる。開口側枠部５ｂの躯体側枠部５ａに対する着脱手段は、図７に関連して説明した第３の実施形態と同様の手段を用いることができる。
【００３６】
なお、浴室側の縦通気路は、通気路を浴室側から見えないようにしたり、或いは浴室をシャワーで洗浄する際に通気路中に浴室洗浄水が直接侵入しないようにするためにも必要である。
【図面の簡単な説明】
【００３７】
【図１】本発明に係る開口枠の第１の実施形態を示す浴室用折戸の正面図である。
【図２】第１の実施形態に係る浴室用折戸の縦側断面図である。
【図３】第１の実施形態に係る浴室用折戸の平断面図である。
【図４】第１の実施形態に係る通気路付き上枠の要部の横断面図である。
【図５】ヒレ部分の拡大図である。
【図６】第２の実施形態に係る通気路付き上枠の要部の横断面図である。
【図７】第３の実施形態に係る通気路付き上枠の要部の横断面図である。
【図８】第４の実施形態に係る通気路付き上枠の要部の横断面図である。
【図９】第５の実施の形態を説明する通気路付き上枠の要部の横断面図であり、図９Ａは通気路の出入り口のそれぞれ蓋が閉じた状態を、また図９Ｂは前記蓋が開放した状態を示す要部横断面図である。
【図１０】第６の実施の形態を説明する通気路付き上枠の要部の横断面図であり、図１０Ａは脱衣室側通気路３２ｂの出口の蓋が閉じた状態を、また図１０Ｂは前記蓋が開放した状態を示す要部横断面図である。
【図１１】第７の実施の形態に係るフィルターを備えた通気路付き上枠の要部の横断面図である。
【図１２】第８の実施形態に係る開口縦枠の平断面図であり、図１２Ａは縦枠装着状態を示し、図１２Ｂは縦枠の一部を取り外した状態を示す。
【図１３】参考例に係る通気路付き上枠の上枠の要部の平断面図である。
【符号の説明】
【００３８】
１０，１００・・・上枠、１１，１１０・・・躯体側枠部、１２，１１２・・・立上り壁部、１４，１１４・・・中空枠体、１５・・・垂下壁、１６，１１６・・・傾斜壁、１７・・・ヒレ部材、２２，１２２・・・第１の中空枠体、２４，１２４・・・第２の中空枠体、３０，１３０・・・通気路、４２，１４２・・・額縁部材、６０ａ，６０ｂ，６０ｃ・・・第１、第２、第３の蓋体、６１ａ，６１ｂ，６６ａ，６６ｂ・・・突起、６２・・・レバー、６５ａ，６５ｂ，６５ｃ，６５ｄ・・・案内溝、７０・・・ロープ又はワイヤ、７２・・・滑車、７４・・・操作用レバー、７６・・・保持ブロック、８０・・・フィルター又はモヘヤ。
【図１】
0004730906.tif 000002
【図２】
0004730906.tif 000003
【図３】
0004730906.tif 000004
【図４】
0004730906.tif 000005
【図５】
0004730906.tif 000006
【図６】
0004730906.tif 000007
【図７】
0004730906.tif 000008
【図８】
0004730906.tif 000009
【図９】
0004730906.tif 000010
【図１０】
0004730906.tif 000011
【図１１】
0004730906.tif 000012
【図１２】
0004730906.tif 000013
【図１３】
0004730906.tif 000014